(57)【要約】      （修正有）【課題】無線通信システムにおいて制御チャネルメッセージに対する端末の応答を生じる誤警報の確率を低減する。【解決手段】端末は各々の搬送波について、基地局からの多数の可能な制御チャネルメッセージを盲目的に探索し、メッセージが周期的冗長検査（ＣＲＣ）により正しく受信されたか否かを決定する。ＵＥがメッセージを誤って検出し応答する確率は高く、アクティブなデータ送信が存在するとき、１以上のメッセージは、任意の所与の瞬間に端末へ送信される可能性が高い。従って、制御チャネルメッセージの有効性を、追加条件が満たされることに依存させることにより、誤警報の確率は大幅に低減する。【選択図】図４
2016220194.tif 000002
【特許請求の範囲】
【請求項１】
無線通信システムで使用される端末であって、複数のチャネルで複数のメッセージを受信するよう構成され、前記複数のチャネルのうちの第１のチャネルで第１のメッセージの受信に対する応答の前記端末による送信は、少なくとも
前記複数のチャネルのうちの前記第１のチャネルが制御チャネルである、及び
前記端末が、前記第１のメッセージの中の第１の正しく復号化されたコードワードを受信する、
を条件とし、
前記端末は、前記応答の送信に追加条件が適用されるよう構成され、前記追加条件は、
前記端末が、前記複数のチャネルのうちの第２のチャネルで第２のメッセージの中の第２の正しく復号化されたコードワードを受信すること、
である、端末。
【請求項２】
前記第１のメッセージは、第１の搬送波のダウンリンクリソースを前記端末に割り当てる、請求項１に記載の端末。
【請求項３】
前記複数のチャネルのうちの前記第２のチャネルは、制御チャネルであり、前記第２のメッセージは、前記端末にアップリンクリソースを割り当てる又は前記端末に第２の搬送波のダウンリンクリソースを割り当てる、請求項１又は２に記載の端末。
【請求項４】
前記端末は、
複数の搬送波による無線通信であって、前記追加条件は、前記端末に対してアクティブにされた搬送波の数が閾を超えるときにのみ適用される、複数の搬送波による無線通信、
複数のセルによる無線通信であって、前記端末は、複数のセルグループを有し構成される、複数のセルによる無線通信、
のうちの少なくとも１つを実行するよう構成される、請求項１乃至３のいずれか一項に記載の端末。
【請求項５】
前記追加条件は、
前記端末が、前記セルグループのうちの部分集合の中のセルから前記第１のメッセージの中の第１の正しく復号化されたコードワードを受信する、又は  前記端末が、同じ前記セルグループに関連する第１のメッセージ及び第２のメッセージを受信し、前記第２のメッセージは特定の特性を有する、
のいずれかのときにのみ適用される、請求項４に記載の端末。
【請求項６】
第１のセルグループは、プライマリセルを有し、第２のセルグループは、セカンダリセルのみを有し、
前記端末は、前記第１のセルグループに関連する肯定応答メッセージを前記プライマリセルへ送信し、前記第２のセルグループに関連する肯定応答メッセージを前記セカンダリセルのうちの１つへ送信するよう構成される、
請求項４又は５に記載の端末。
【請求項７】
前記追加条件は、前記端末が、特定のメッセージフォーマットを用いて肯定応答メッセージを送信することにより前記第１のメッセージに応答するよう構成されるときにのみ適用される、請求項１乃至６のいずれか一項に記載の端末。
【請求項８】
受信したメッセージを、第１、第２、及び第３のグループに分類し、前記第１のメッセージが前記第２のグループに分類されるとき、前記追加条件は、前記第２のメッセージが前記第３のグループにあることを更に要求する、よう更に構成される請求項１乃至７のいずれか一項に記載の端末。
【請求項９】
前記端末は、前記第１のメッセージが前記第１のグループにあるとき、前記応答の送信に前記追加条件を適用するよう構成される、請求項８に記載の端末。
【請求項１０】
前記端末は、
受信したメッセージがリソースをスケジューリングするセルの搬送波周波数、
前記受信したメッセージがアップリンク又はダウンリンクリソースをスケジューリングするか、
ビット数の観点で前記受信したメッセージのサイズ、
占有されるリソースの観点で前記受信したメッセージのサイズ、
前記端末の前記応答が送信されるよう構成される搬送波、
のうちの１又は複数に従って、前記受信したメッセージを前記グループのうちの少なくとも１つに分類するよう構成される、請求項８又は９に記載の端末。
【請求項１１】
前記グループのうちの少なくとも１つは、
受信したメッセージが検出された搬送波周波数、
受信したメッセージが検出されたチャネルの種類
のうちの１又は複数に従って定められる、請求項８、９又は１０に記載の端末。
【請求項１２】
前記端末は、前記第２のメッセージが前記第３のグループに分類されるとき、前記応答を送信するためのリソースが前記第２のメッセージにより指定されるときのみ、前記第１のメッセージが前記第２のグループに分類されるとき、前記第１のメッセージに対する前記応答を送信するよう更に構成される、請求項８乃至１１のいずれか一項に記載の端末。
【請求項１３】
無線通信システムで使用される基地局機器であって、複数のチャネルで複数のメッセージを端末へ送信するよう構成され、前記複数のチャネルのうちの第１のチャネルで第１のメッセージの受信に対する応答の前記端末による送信が、少なくとも
前記複数のチャネルのうちの前記第１のチャネルが制御チャネルである、及び
前記端末が、前記第１のメッセージの中の第１の正しく復号化されたコードワードを受信する、
を条件とするよう前記端末を構成し、
前記応答の送信に追加条件が適用されるよう前記端末を更に構成し、前記追加条件は、
前記端末が、前記複数のチャネルのうちの第２のチャネルで第２のメッセージの中の第２の正しく復号化されたコードワードを受信すること、
である、基地局機器。
【請求項１４】
請求項１乃至１２のいずれか一項に記載の端末と、請求項１３に記載の基地局機器と、を有する無線通信システム。
【請求項１５】
無線通信方法であって、端末において、１又は複数の基地局により複数のチャネルで送信された複数のメッセージを受信するステップであって、前記複数のチャネルのうちの第１のチャネルで第１のメッセージの受信に対する応答の前記端末による送信は、少なくとも
前記複数のチャネルのうちの前記第１のチャネルが制御チャネルである、及び
前記端末が、前記第１のメッセージの中の第１の正しく復号化されたコードワードを受信する、
を条件とし、
前記端末は、前記応答の送信に対する追加条件として、前記複数のチャネルのうちの第２のチャネルで第２のメッセージの中の第２の正しく復号化されたコードワードを受信することを適用する、
方法。
【発明の詳細な説明】
【技術分野】
【０００１】
本発明は、無線通信システム、例えば、３ＧＰＰ  ＬＴＥ（Long  Term  Evolution）及び３ＧＰＰ  ＬＴＥ−Ａ標準化グループに基づくシステムに関し、より詳細には、端末が制御チャネルメッセージに誤って応答することを防止できるメカニズムに関する。
【背景技術】
【０００２】
基地局（ＢＳ）が「セル」を形成し該基地局の範囲内にある端末（ユーザ機器（ＵＥ）又は移動局とも称される）と通信する無線通信システムは、広く知られている。
【０００３】
このようなシステムでは、各ＢＳは、自身の利用可能帯域幅、つまり所与のセルの周波数及び時間リソースを、自身が供するユーザ機器のために個々のリソース割り当てに分ける。ＵＥは、一般的にモバイルなので、セル間を移動し、隣接セルの基地局間の無線通信リンクのハンドオーバの必要を生じさせる。ＵＥは、同時に幾つかのセルの範囲内に存在できる（つまり、幾つかのセルからの信号を検出できる）。最も単純な例では、ＵＥは、１つの「サービング」又は「プライマリ」セル（ＰＣｅｌｌ）と通信し、無線通信のために必要な時間及び周波数リソースを専らこのＰＣｅｌｌに頼る。しかしながら、ＵＥに利用可能なリソースを増大するために、ＰＣｅｌｌ及び１又は複数のセカンダリセル（Ｓｃｅｌｌ）の両方と通信するよう構成できる。Ｓｃｅｌｌは、キャリアアグリゲーション（以下を参照）を用いて、ＰＣｅｌｌと異なる搬送波（キャリア）周波数で提供され得る。
【０００４】
ＵＥが自身の通信のために所与のセルを使用し始めるとき、該セルが他のＵＥにより既に使用されているか否かにかかわらず、該セルは、該ＵＥのために「アクティブ」にされたと言われる。通常、全てのセルは、ローカル制御ノードにより（又は密に連携する複数のこのようなノードにより）管理される必要がある。
【０００５】
＜キャリアアグリゲーション（ＣＡ）＞
ＵＥに利用可能なリソースを増大するための技術は、所謂キャリアアグリゲーション（Carrier  Aggregation：ＣＡ）を含む。ＣＡは、ＬＴＥリリース１０以降、３ＧＰＰに導入されている（ちなみに、ＬＴＥリリース１０及びそれ以上は、ＬＴＥ−Ａｄｂａｎｃｅｄ、ＬＴＥ−Ａとしても表される）。ＬＴＥに適用されるＣＡ及びＣｏＭＰの詳細は、参照により本願明細書に組み込まれる３ＧＰＰ標準ＴＳ３６．３００で与えられる。ＣＡでは、最大１００ＭＨｚ（最大５個のＣＣから構成され、各々のＣＣは自身の搬送波（キャリア）周波数の周囲の最大２０ＭＨｚの帯域幅を有する）のより広い送信帯域幅をサポートするために、異なる周波数における２以上の成分搬送波（Component  Carrier：ＣＣ）は集約される。ＵＥは、自身の能力に依存して１又は複数のＣＣで同時に受信又は送信しても良い。
【０００６】
図１は、ＵＥ１がキャリアアグリゲーションを用い、ｅＮｏｄｅＢ１１が搬送波周波数ｆ１、ｆ２、．．．、ｆｎでセルを制御する、知られているＬＴＥシステムの一例（記載の本発明の実施形態にも適用可能である）を示す。この例では、各々のセルは、各々のセルのアップリンク及びダウンリンクが同じ周波数であるＴＤＤ動作で、異なる基地局２１、２２、．．．、２ｎによりサポートされるとして示される。ここで、基地局は全て、１つのｅＮｏｄｅＢ１１により制御される。他の展開オプションは、全てのセルが、ｅＮｏｄｅＢと同一場所に設置され得る又はｅＮｏｄｅＢの部分として含まれ得る単一の基地局によりサポートされる場合を含む。以下で、用語「基地局機器」は、ｅＮｏｄｅＢの制御下にある別個の基地局を有する又は有しないｅＮｏｄｅＢ、及び上述の単一の基地局、及び非ＬＴＥシステムの中の等価な装置を示すために使用される。
【０００７】
概して、１つのＣＣは１つのセルに対応し、セルと同様に、ＵＥによる通信のために使用される各々のＣＣは、該ＵＥのために「アクティブにされる」。Ｓｃｅｌｌは、アクティブ又は非アクティブにされ得るが、ＰＣｅｌｌは非アクティブにされ得ない。ＦＤＤでは、ＰＣｅｌｌは、異なる周波数にある対応するダウンリンク搬送波及びアップリンク搬送波を有する。これらは、それぞれ、ＤＬ  ＰＣＣ（Downlink  Primary  Component  Carrier）及びＵＬ  ＰＣＣ（Uplink  Primary  Component  Carrier）として表され得る。Ｓｃｅｌｌは、ダウンリンク搬送波を有し、アップリンク搬送波も有しても良い。ちなみに、本願明細書では、用語「搬送波（キャリア）」及び「セル」は、多少同義的に使用される。しかしながら、異なる搬送波周波数は常に異なるセルを意味するが、逆は必ずしもそうではないことに、留意すべきである。単一の搬送波周波数は、１又は複数のセルをサポートできる。
【０００８】
したがって、ＣＡを使用するＵＥは、各々のＣＣに１つの、場合によっては図１に示すように異なる搬送波周波数を有する、複数のサービングセルを有しても良く、セルは異なる帯域幅を有しても良い。概して、各々のセルは、単一のサイトにある基地局アンテナにより提供される。しかし、これは、１つのセルが異なるサイトにあるアンテナにより提供される可能性を除外しない。
【０００９】
＜フレーム構造＞
ＬＴＥのような無線通信システムでは、ダウンリンクで送信するデータは、それぞれ多数のサブフレームに分けられるＯＦＤＭＡフレームに編成される。種々のフレーム種類が可能であり、例えばＦＤＤ（frequency  division  duplex）とＴＤＤ（time  division  duplex）との間で異なる。ＬＴＥの一般的フレーム構造では、フレーム期間１０ｍｓは、０．５ｍｓの２０個の等しい大きさのスロットに分けられる。１つのサブフレーム（又は送信時間間隔）は、２つの連続するスロットを有するので、１つの無線フレームは１０個のサブフレームを有する。
【００１０】
各々のサブフレームについて、どのＵＥがサブフレームの間にどの時間／周波数リソースに割り当てられるかに関して、新しいスケジューリング決定が行われる。ｅＮｏｄｅＢにおいて行われるスケジューリング決定は、異なるＵＥの無線リンク品質の状況、全体的な干渉の状況、サービス品質要件、サービス特性、等を考慮する。
【００１１】
＜チャネル＞
ＬＴＥでは、データ及び制御シグナリングのための幾つかのチャネルは、システム内の種々の抽象化レベルで定められる。図２は、ＬＴＥで、各論理レベル、トランスポート層レベル及び物理層レベルで定められた一部のチャネル、並びにそれらの間のマッピングを示す。本発明の目的のために、物理層レベルのチャネルが最も重要である。
【００１２】
ダウンリンクで、ユーザデータはＰＤＳＣＨ（Physical  Downlink  Shared  Channel）で運ばれる。ダウンリンクには種々の制御チャネルが存在し、無線リソース管理（radio  resource  management：ＲＲＭ）の一部として用いられるプロトコルである所謂ＲＲＣ（Radio  Resource  Control）を含む種々の目的でシグナリングを伝達する。ＲＲＣのようなダウンリンクにおける上位レイヤのシグナリングは、通常、ＰＤＳＣＨで伝達される。ダウンリンク物理レイヤシグナリングは、ＰＤＣＣＨ（Physical  Downlink  Control  Channel）又はＥＰＤＣＣＨ（Enhanced  PDCCH）により伝達される（以下を参照）。
【００１３】
一方、アップリンクでは、ユーザデータ及び特定の制御シグナリングデータは、ＰＵＳＣＨ（Physical  Uplink  Shared  Channel）で伝達される。ＰＵＳＣＨでの周波数ホッピングを用いて、周波数ダイバーシティ効果が有効になり、干渉が平均化される。制御チャネルは、例えばチャネル品質指標（ＣＱＩ）レポートにより表されるチャネル状態情報（ＣＳＩ）及びスケジューリング要求を含むＵＥからのシグナリングを伝達するために用いられるＰＵＣＣＨ（Physical  Uplink  Control  Channel）を有する。ＰＵＳＣＨ送信がＰＵＣＣＨが送信されるべきときに生じた場合、ＰＵＣＣＨで伝達されるべき制御情報は、ユーザデータと一緒にＰＵＳＣＨで送信されても良い。ＰＵＣＣＨとＰＵＳＣＨの同じＵＥからの同時送信は、上位層により可能な場合にはサポートされても良い。
【００１４】
ＵＥと基地局との間の送信は、干渉による送信誤りを生じ易いので、手順は、受信側により認知されるべきアップリンク及びダウンリンク方向で送信される各々のパケットについて利用可能である。これは、ＨＡＲＱ（Hybrid  Automatic  Repeat  Request）肯定応答又は非肯定応答（ＡＣＫ／ＮＡＣＫ）を制御チャネルで送信することにより行われる。ダウンリンクでは、ＡＣＫ／ＮＡＣＫは、ＰＨＩＣＨ（Physical  HARQ  Indicator  Channel）で送信される。アップリンクでは、ＡＣＫ／ＮＡＣＫは、ＰＵＣＣＨで送信される（又はＰＵＳＣＨでユーザデータと一緒に送信されても良い）。
【００１５】
一般的に、上述のチャネルは、各々、サブフレーム毎に送信されても良い。つまり、上述のチャネルは、一部の又は全部のサブフレームで生じても良く、該チャネルが送信される各々のサブフレームの中で異なるシグナリングデータを伝達しても良い。
【００１６】
＜ＰＤＣＣＨ及びＤＣＩ＞
ＬＴＥでは、ＤＬ及びＵＬトラフィックチャネルは動的な共有チャネルなので、ＤＬ及びＵＬの両方は、完全にスケジューリングされる。これは、ＰＤＣＣＨが、どのユーザが各々のサブフレームの中のＰＤＳＣＨ（physical  DL  shared  channel）を復号すべきか、及びどのユーザが各々のサブフレームの中のＰＵＳＣＨ（physical  UL  shared  channel）で送信することを許されるか、を示すために、スケジューリング情報を提供しなければならないことを意味する。ＰＤＣＣＨは、ダウンリンク制御情報ＤＣＩと呼ばれるスケジューリング情報を、ｅＮｏｄｅＢから個々のＵＥへ伝達するために用いられる。従来、１つのＰＤＣＣＨメッセージは、ＤＣＩの１つのアイテム（以下では便宜上、１つのＤＣＩと表す）を含む。このＤＣＩは、１つの個々のＵＥに向けられる場合が多いが、幾つかのメッセージもブロードキャストされる（例えば、１つのセルの中の複数のＵＥに向けて）。したがって、ＰＤＣＣＨは、ＴＰＣ（Transmit  Power  Control）コマンドのような、ＵＥのグループに向けられる情報も含むことができる。さらに、ＰＤＣＣＨは、ＳＰＳ（semi−persistent  schedule）を構成するために使用され得る。ＳＰＳでは、同じリソースが周期的に利用可能である。以下では、用語ＰＤＣＣＨ、ＰＤＣＣＨメッセージ、ＤＣＩ及びＤＣＩメッセージは、特に断りのない限り、同義的に使用される。ＤＣＩは、以下で参照される「制御チャネルメッセージ」の１つの重要な種類の内容である。用語「制御チャネルメッセージ」は、ＰＤＣＣＨで又は他の方法で（例えば、ＰＤＣＣＨに関する説明の多くが適用される、ＰＤＣＣＨと多くの類似点を有するＥＰＤＣＣＨにより）伝達されるかに係わらず、ＵＥへの制御シグナリングを示すために用いられる。
【００１７】
ＣＲＣ（周期的冗長検査）は、ＤＣＩの誤り検出のために用いられる。ＰＤＣＣＨペイロード全体が、ＣＲＣパリティビットのセットを計算するために用いられる。ＣＲＣパリティビットのセットは、次に、ＰＤＣＣＨペイロードの終わりに付加される。したがって、厳密に言うと、ＣＲＣは、ＤＣＩとは別の他の制御情報を含み得る制御チャネルメッセージの全体に適用される。異なるＵＥに関連する複数のＰＤＣＣＨが１つのサブフレーム内に存在できるので、ＣＲＣは、どのＵＥがＰＤＣＣＨに関連するかを指定するためにも用いられる。これは、ＵＥのＲＮＴＩ（Radio  Network  Temporary  Identifier）でＣＲＣパリティビットをスクランブリングすることにより行われる。様々な種類又はＲＮＴＩがＬＴＥにおいて定められる。一例として、Ｃ−ＲＮＴＩは所与のＵＥにより使用され、一方で、該ＵＥは、特定のセルとネットワークエントリプロセスを実行することにより、ネットワークにジョインすることに成功した後、該セルの中に居る。
【００１８】
したがって、対応するＰＤＣＣＨコードワードのＣＲＣが正しい場合、ＵＥは、ＤＣＩメッセージが検出されたと見なすことができ、適切なＲＮＴＩによるスクランブリングを考慮に入れる。留意すべきことに、ＤＣＩメッセージが正しく又は誤って受信されたか否か、及び対応してＤＣＩメッセージが「検出された」と見なされるべきか或いはその他かを決定するために、ＵＥには更なる方法が存在し得る。例えば、ＤＬ割り当てがアクティブにされていない搬送波に対して受信された場合、このＤＣＩは誤って受信されたと見なされるべきである。所与のＰＤＣＣＨは、多数の所与の位置（全ての可能な位置の所定のサブセットを有する探索空間）のうちの任意の１つで伝送されても良い。ＵＥは、探索空間内の各位置にあるＰＤＣＣＨのブラインドデコーディングを試みる。
【００１９】
各々の異なる種類のメッセージは、異なるＤＣＩフォーマットを用いて運ばれる。多くのＰＤＣＣＨメッセージは、それぞれ１つのみの特定のＵＥにより受信されるよう意図されている。他は１より多くのＵＥへ向けられる。ＤＣＩのサイズは因子の数に依存するので、ＲＲＣ構成により又はＰＤＣＣＨにより占有されているシンボル数をシグナリングする別の手段により、ＵＥはＤＣＩのサイズを知っている必要がある。前述のように、複数のＵＥは同じサブフレームの中でスケジューリングされ得るので、従来は、したがって、複数のＤＣＩメッセージは複数のＰＤＣＣＨを用いて送信される。
【００２０】
使用されるべきフォーマットは、制御メッセージの目的に依存する。例えば、ＤＣＩフォーマット１は、空間多重化が使用されないとき（つまり、スケジューリング情報は１つの空間レイヤのみを用いて送信される１つのコードワードについて規定される）、ダウンリンク共有チャネルリソースの割り当てのために使用される。提供された情報は、ＵＥが、リソース、該サブフレームの中のどこでＰＤＳＣＨを受信すべきか、及びそれをどのように復号化すべきか、を識別できるようにする。この種のＤＣＩは、以下で「ＤＬ割り当て」として参照され、特に本発明に関連する。リソースブロック割り当てに加えて、これは、変調及び符号化方式、並びに非受信データの再送を管理するために使用されるハイブリッドＡＲＱプロトコルに関する情報も含む。別の種類のＤＣＩは、アップリンク許可であり、ＰＵＳＣＨを用いてアップリンクで送信するための許可をＵＥに与える。
【００２１】
＜ＥＰＤＣＣＨ＞
ＬＴＥ−Ａでは、新しい制御チャネル設計（ＥＰＤＣＣＨ）が提供される。これは、ダウンリンクデータと同様の方法で（つまり、ＰＤＳＣＨと似ている）リソースを用いてＤＣＩメッセージを送信する。ＥＰＤＣＣＨは、システム要件に依存して、周波数局在型（frequency−localized）又は周波数分散型（frequency−distributed）方法で送信されても良い。局在型送信は、チャネル／干渉特性が周波数選択的である場合に適する。この場合、所与のＵＥについて、周波数ドメインの中の良好な場所でＤＣＩメッセージを送信することが可能である。他の場合には、例えば、周波数選択的チャネル情報がｅＮｏｄｅＢにおいて利用可能でない場合、分散型送信（ＰＤＣＣＨを送信する方法に対応する）が適する。
【００２２】
分散型ＥＰＤＣＣＨの設計は、ＰＤＣＣＨに類似している。つまり、幾つかのリソースは、分散型ＥＰＤＣＣＨのために設計され、ＵＥは該リソースの中のブラインド復号化探索空間を有し、所与のＤＣＩメッセージは周波数ドメインに渡って広がるリソースのセットを使用する。
【００２３】
＜ＣＡの中のチャネル＞
ＬＴＥにおいて定められる、より重要なチャネルのうちの幾つかの概略を説明したが、それらのＣＡシナリオにおけるセル／ＣＣとの関係は、以下に図３を用いて記載される。
【００２４】
図３に示すように、ＰＣｅｌｌ（ＤＬ  ＰＣＣ）はＵＥへＰＤＣＣＨを送信できる。ＳＣｅｌｌは、ＵＥ能力に依存して、対応するＤＬ  ＳＣＣで、ＵＥにＰＤＣＣＨを提供しても良い（又はしなくても良い）。しかしながら、ＰＵＳＣＨのアップリンクデータは、ＰＣｅｌｌ及びＳＣｅｌｌの両方で、所要の能力を有するＵＥにより送信され得る。対応して、各々のセルに別個のトランスポートチャネルＵＬ−ＳＣＨが存在する。ＬＴＥでは、リリース１１以前は、アップリンク制御チャネル（ＰＵＣＣＨ）は、ＰＣｅｌｌでのみ送信される（ＵＬ  ＰＣＣ）。同様に、スケジューリング要求のためのＰＲＡＣＨは、ＰＣｅｌｌでのみ送信される。しかしながら、これらの制限は、将来のリリースには適用されない。
【００２５】
ＳＣｅｌｌがＵＥのためにＰＤＣＣＨを伝達するよう構成されない場合、これは、そのセルのスケジューリング情報が別のセル（通常、ＰＣｅｌｌ）のＰＤＣＣＨで伝達されなければならないことを意味する。これは、クロスキャリアスケジューリングと呼ばれる。ＰＣｅｌｌ及びＳＣｅｌｌは、同一の又は非常に類似する送信タイミングを有する。これは、例えば、あるセルのＰＤＣＣＨを異なるセルのリソースにスケジューリングすること、及びＳＣｅｌｌでのＰＤＳＣＨ送信に対するＡＣＫ／ＮＡＣＫをＰＣｅｌｌで送信させることを可能にする。セルが異なる地理的サイトにあるアンテナによりサポートされる可能性を計算に入れるために、ＳＣｅｌｌは、ＵＥにおいて異なる送信タイミングを有しても良い。ＰＣｅｌｌのＰＵＣＣＨとＳＣｅｌｌのＰＤＳＣＨとの間の厳しいタイミング同期要件のために、ＰＣｅｌｌ及びＳＣｅｌｌは、同じｅＮｏｄｅＢにより制御されると想定され得る。ちなみに、例えば二重接続を提供するよう構成されるとき、ＰＣｅｌｌが存在しないセルのグループを協調させるために、ＳＣｅｌｌは、制御目的で拡張した役割を有することが可能である。このようなＳＣｅｌｌは、プライマリセカンダリセル又はＰＳＣｅｌｌとして表すことができる。
【００２６】
上述の一部を纏め及びそれから発展させるために、ＬＴＥ−Ａでは、ＵＥに制御情報を送信するために使用され得る２つのダウンリンク制御チャネルが定められる（ＰＤＣＣＨ及びＥＰＤＣＣＨ）。通常、制御チャネルメッセージは、ＤＣＩ（Downlink  Control  Information）を含み、ＰＤＳＣＨでネットワークからのダウンリンクデータ送信（「ＤＬ割り当て」）又はＰＵＳＣＨでＵＥにより行われ得るアップリンクデータ送信に関するリソース及び他の情報を示すために使用される。通常、１つのＤＣＩは、１つのＵＥに及び１つのサブフレームに関連する。
【００２７】
通常、ＵＥは、各々のダウンリンクサブフレームの中で、制御チャネルで送信された可能性のある多数の異なる候補メッセージの受信を試みるよう構成される。そして、通常、各々の候補は、異なる制御チャネルリソースに関連付けられ得る。ＵＥは、ＣＲＣを調べることにより及び特定の識別指示（例えば、ＣＲＮＴＩの特定の値）の存在により意図された受信側であることを確認することにより、メッセージ（コードワード）の正しい受信を検出できる。ＵＥは、アップリンク許可を検出した場合、ＰＵＳＣＨで対応する送信を行う。ＵＥは、ダウンリンク割り当てを検出した場合、ＰＤＳＣＨの対応するダウンリンク送信を復号化しようと試み、通常はアップリンク制御チャネル（ＰＵＣＣＨ）で適切にＡＣＫ又はＮＡＣＫを送信する。ＰＵＳＣＨがアップリンクで送信される場合、ＡＣＫ／ＮＡＣＫも、ＰＵＣＣＨではなくＰＵＳＣＨで送信されても良い。
【００２８】
キャリアアグリゲーション（ＣＡ）では、異なる周波数の複数の搬送波は、（より高いレベルのＲＲＣシグナリングにより）１つの端末のために構成されても良く、これらの搬送波は、より高いレイヤのＭＡＣシグナリングによりアクティブに又は非アクティブにされても良い。ＵＥは、したがって、各々のアクティブにされた搬送波について、制御チャネルメッセージ候補のセットを探索するよう要求されても良い。１つの搬送波は、永久的にアクティブにされ（プライマリセル又はＰＣｅｌｌ）、他の構成された搬送波は、アクティブに又は非アクティブにされても良い（セカンダリセル又はＳＣｅｌｌ）。ＬＴＥでは、ＰＣｅｌｌ及びＳＣｅｌｌは、同じｅＮｏｄｅＢにより制御され及びリソースをスケジューリングされる。関連ＤＣＩが受信された後、ＵＥは、対応するコードワードの復号化を試み、通常、コードワードの復号化に成功すると（つまり成功したＣＲＣ）ＡＣＫを送信し、その他の場合にＮＡＣＫを送信する。所与のサブフレームの中のＰＤＳＣＨ送信を示す複数のＤＬ割り当ての場合には、ＵＥはＰＣｅｌｌで対応するＡＣＫ／ＮＡＣＫを送信することにより、肯定応答を受信する（acknowledge  reception）。ＡＣＫ／ＮＡＣＫのビット数は、（アクティブにされているＣＣの数ではなく）構成されるＣＣの数により固定される。つまり、１つのＡＣＫ／ＮＡＣＫメッセージが送信され、全ての構成ＣＣをカバーし、各々のビットは個々のＣＣを表す。
【００２９】
ＬＴＥにおけるダウンリンク制御チャネルメッセージは、ＤＣＩ（Downlink  Control  Information）を含む場合が多く、所与の搬送波のためのリソースのＤＣＩスケジューリングは、同じ搬送波で（「自己スケジューリング」）又は異なる搬送波で（「クロスキャリアスケジューリング」）送信されても良い。ＭＩＭＯ（multiple  input  multiple  output）アンテナ技術を用いて、空間多重化は、同じ時間／周波数リソースを用いて、１つより多くのコードワードをＵＥへ送るために使用され得る。この場合、ＰＤＳＣＨにおける１より多くの空間多重化されたコードワードの存在は、単一のＤＣＩの中で示され得る。ＬＴＥでは、同じ時間（同じサブフレーム）において受信された複数のコードワードに対する複数のＡＣＫ／ＮＡＣＫは、コードワードが空間多重化により又は複数の搬送波で又はそれらの両方により送信されたかに係わらず、同じアップリンクメッセージの中で送信され得る。ＵＥ及び基地局の能力に依存して、ＭＩＭＯは、ＰＣｅｌｌにのみ、又はＰＣｅｌｌ及び１又は複数のＳＣｅｌｌに適用されても良く、或いはいずれにも適用されなくても良い。
【００３０】
ＣＡは、ＦＤＤ（少なくとも１つのＰＣｅｌｌが異なる搬送波周波数でダウンリンク及びアップリンクを有するが、ＳＣｅｌｌは使用中のダウンリンクのみ又はアップリンクのみを有することができる）と、ＴＤＤ（ＰＣｅｌｌのアップリンク及びダウンリンク、又はＳＣｅｌｌは、同じ搬送波周波数にある）と、の両方のために構成され得る。ＬＴＥ  ＴＤＤでは、１つより多くのサブフレームの中で受信されたコードワードに対するＡＣＫ／ＮＡＣＫは、同じアップリンクメッセージの中で送信され得る。
【００３１】
上述のように、ＣＡでは、現在、ＵＥあたり構成可能な搬送波の最大数は５である。しかしながら、３ＧＰＰ  ＲＡＮ１は、現在、ＣＡの拡張を議論している。ここでは、サポートされる搬送波の最大数は５から３２まで増大されるだろう。
【００３２】
ＵＥによる制御チャネル受信における「誤警報」の確率はゼロではなく、制御チャネルメッセージ（ＤＣＩ）が送信されていないとき、ＵＥがこのようなメッセージを検出し及び応答する確率が実際に存在する。これは、例えば、異なるＵＥに向けられた制御送信を低いＳＮＲで受信し、したがってビットのうちの幾つかが誤って復号化されるとき、又は送信が存在せず、ランダムノイズ若しくは干渉が有効な信号であるかのように処理される場合に、生じる。多数の候補と共に、幾つかの条件下で、ＵＥがメッセージを誤って検出し応答する（例えば、誤ったアップリンク送信を伴う）確率は、任意の所与のサブフレームにおいて深刻であり得る。
【００３３】
ＵＥは、複数の搬送波により構成される場合、通常、各々の搬送波の複数の候補について制御チャネルメッセージを探索する。したがって、誤警報の確率は、搬送波の数と共に線形に増減する可能性が高い（つまり、単一の搬送波の場合より最大で３２倍高い）。誤警報の確率を低減し及び誤警報の影響を緩和する手段は興味深い。誤警報の確率は、ＣＲＣの中のビット数を減らすことにより低減され得る。しかしながら、これは、ＤＣＩメッセージのサイズを増大してしまい、望ましくない。
【００３４】
特定の問題の例は、ＰＤＳＣＨのＤＬ送信を示すＤＬ割り当てのＤＣＩについて生じる。ＵＥが任意のＤＬ割り当てを検出し（つまり、ＣＲＣが、ＤＣＩを含むＰＤＣＣＨコードワードが正しく復号化されたことを示す）及び対応するＰＤＳＣＨの復号化を試みるときはいつも、ＵＥは、ＰＤＳＣＨの正しい受信（又はその他の場合）を示すＡＣＫ／ＮＡＣＫを送信する。ＬＴＥでは、ＤＬ割り当てが誤警報の結果である場合を含み、全てのＣＣがアクティブにされ又はＰＤＳＣＨの送信に関与しない場合でも、ＡＣＫ／ＮＡＣＫのビット数は、全て、構成ＣＣの数に対応する。したがって、ＵＥによるＡＣＫ／ＮＡＣＫ送信が誤警報にのみ起因する場合、これは、アップリンク干渉を生じ、（例えば、他のＵＥからの）他の送信を破損する可能性がある。
【００３５】
したがって、制御チャネルメッセージに対する端末による応答の送信をどのように制御し、誤警報及び誤ったアップリンク送信を回避するかについて問題が存在する。
【発明の概要】
【課題を解決するための手段】
【００３６】
本発明の第１の態様によると、無線通信システムで使用される端末であって、複数のチャネルで複数のメッセージを受信するよう構成され、前記複数のチャネルのうちの第１のチャネルでの第１のメッセージの受信に対する応答の前記端末による送信は、少なくとも
前記複数のチャネルのうちの前記第１のチャネルが制御チャネルである、及び
前記端末が、前記第１のメッセージの中の第１の正しく復号化されたコードワードを受信する、
を条件とし、
前記端末は、前記応答の送信に追加条件が適用されるよう構成され、前記追加条件は、
前記端末が、前記複数のチャネルのうちの第２のチャネルで第２のメッセージの中の第２の正しく復号化されたコードワードを受信すること、
である、端末が提供される。
【００３７】
したがって、前記端末は、第１のチャネルの中で正しいコードワードを受信した場合のみ、応答を行うよう構成され、並びに別の制御チャネルで又は（ＰＤＳＣＨのような）必ずしも制御チャネルと言えないチャネルで別のコードワードを受信する。第１及び第２のコードワードは、通常、同じサブフレームの中で受信されたコードワードである。上述の応答は、前記第２のコードワードの正しい受信の指示であっても良く又はそれを含んでも良い。
【００３８】
本発明の好適な実施形態は、メッセージがＰＤＣＣＨ又はＥＰＤＣＣＨのような物理ダウンリンク制御チャネルで送信されるダウンリンク制御情報（ＤＣＩ）メッセージであるＬＴＥに基づく無線通信システムにおいての使用のためのものである。
【００３９】
本発明によりカバーされる１つの重要な例では、第１のメッセージは、第１の搬送波のダウンリンクリソースを端末に割り当てる。言い換えると、これは、詳細な説明において言及される「ＤＬ割り当て」である。一方で、第２のメッセージは、アップリンクリソースを端末に割り当てても良く、又は第２の搬送波のダウンリンクリソースを端末に割り当てるＤＬ割り当てであっても良い。
【００４０】
一実施形態では、前記端末は、複数の搬送波により無線通信を実行するよう構成される。前記追加条件は、前記端末のためにアクティブにされた搬送波の数が閾を超えるときにのみ適用される。
【００４１】
上述のように、異なる搬送波の存在は、複数のセルを意味する。したがって、別の実施形態では、前記端末は、複数のセルにより無線通信を実行するよう構成され、前記端末は、複数のセルグループで構成される。言い換えると、前記端末は、制御チャネルメッセージに対する応答の送信を管理する目的で、該端末が通信するセルをグループに分類するよう構成される。受信したメッセージは、次に、各々が受信されたセルに従って、前記端末により同様に分類される。
【００４２】
本実施形態では、望ましくは、上述の第１のメッセージの中の第１の正しく復号化されたコードワードは、特定のグループ又は複数のグループの中のセルからである必要がある。つまり、前記端末は、前記端末が前記セルグループのうちの指定された部分集合の中のセルから第１の正しく復号化されたコードワードを受信するときにのみ、追加条件を適用する。
【００４３】
別の可能性として、前記端末は、前記第１のメッセージ及び前記第２のメッセージが同じセルグループに関連し、前記第２のメッセージが特定の特性を有するときにのみ、上述の追加条件を適用する。
【００４４】
上述のセルグループの中で、第１のグループはプライマリセルを有し、第２のグループはセカンダリセルのみを有し得る。この場合、次に、前記端末は、前記第１のセルグループに関連する肯定応答メッセージを前記プライマリセルへ送信し、前記第２のセルグループに関連する肯定応答メッセージを前記セカンダリセルのうちの１つへ送信するよう構成されても良い。
【００４５】
更なる好適な特徴として、前記追加条件は、前記端末が、最大３２個のＣＣについてＡＣＫ／ＮＡＣＫを送信するためのＰＵＣＣＨの新たなフォーマットのような特定のメッセージフォーマットを用いて、肯定応答メッセージを送信することにより、前記第１のメッセージに応答するよう構成されるときにのみ、適用される。
【００４６】
別の実施形態では、グループの概念は、より一般的に、セルではなく（又はセルを排除しない）受信されたメッセージに適用される。この場合、前記端末は、受信したメッセージを、第１、第２、及び第３のグループに分類し、前記第１のメッセージが前記第２のグループに分類されるとき、前記追加条件は、前記第２のメッセージが前記第３のグループにあることを更に要求する、よう更に構成される。
【００４７】
ここで、前記第１のグループは、受信したメッセージを通常通り処理するために用いられ得る。つまり、前記端末は、前記第１のメッセージが前記第１のグループにあるとき、前記応答の送信に前記追加条件を適用しないよう構成されても良い。
【００４８】
本実施形態では、前記端末は、
受信したメッセージがリソースをスケジューリングするセルの搬送波周波数、
前記受信したメッセージがアップリンク又はダウンリンクリソースをスケジューリングするか、
ビット数の観点で前記受信したメッセージのサイズ、
占有されるリソースの観点で前記受信したメッセージのサイズ、
前記端末の前記応答が送信されるよう構成される搬送波、
のうちの１又は複数に従って、前記受信したメッセージを前記グループのうちの少なくとも１つに分類するよう構成されても良い。
【００４９】
代替で又は追加で、前記グループのうちの少なくとも１つは、
受信したメッセージが検出された搬送波周波数、
受信したメッセージが検出されたチャネルの種類、
のうちの１又は複数に従って定められても良い。
【００５０】
前記端末は、前記第２のメッセージが前記第３のグループに分類されるとき、前記応答を送信するためのリソースが前記第２のメッセージにより指定されるときのみ、前記第１のメッセージが前記第２のグループに分類されるとき、前記第１のメッセージに対する前記応答を送信するよう更に構成されても良い。
【００５１】
本発明の第２の態様によると、無線通信システムで使用される基地局機器であって、複数のチャネルで複数のメッセージを端末へ送信するよう構成され、前記複数のチャネルのうちの第１のチャネルで第１のメッセージの受信に対する応答の前記端末による送信が、少なくとも
前記複数のチャネルのうちの前記第１のチャネルが制御チャネルである、及び
前記端末が、前記第１のメッセージの中の第１の正しく復号化されたコードワードを受信する、
を条件とするよう前記端末を構成し、
前記応答の送信に追加条件が適用されるよう前記端末を更に構成し、前記追加条件は、
前記端末が、前記複数のチャネルのうちの第２のチャネルで第２のメッセージの中の第２の正しく復号化されたコードワードを受信すること、
である、基地局が提供される。
【００５２】
本発明の第３の態様によると、上述の基地局機器と一緒に、上述のいずれかの端末を有する無線通信システムが適用される。
【００５３】
本発明の第４の態様によると、無線通信方法であって、端末において、１又は複数の基地局により複数のチャネルで送信された複数のメッセージを受信するステップであって、前記複数のチャネルのうちの第１のチャネルで第１のメッセージの受信に対する応答の前記端末による送信は、少なくとも
前記複数のチャネルのうちの前記第１のチャネルが制御チャネルである、及び
前記端末が、前記第１のメッセージの中の第１の正しく復号化されたコードワードを受信する、
を条件とし、
前記端末は、前記応答の送信に対する追加条件として、前記複数のチャネルのうちの第２のチャネルで第２のメッセージの中の第２の正しく復号化されたコードワードを受信することを適用する、
方法が提供される。
【００５４】
更なる態様は、プロセッサを備える通信機器に、上述の端末（セカンダリ局）又は基地局機器（１又は複数の基地局を含む又は制御する、ｅＮｏｄｅＢのようなプライマリ局）を提供させるソフトウェアに関連する。上記ソフトウェアは、コンピュータ可読媒体に記録されても良い。
【００５５】
したがって、本発明の実施形態は、特定の新規な条件が満たされるときにのみ端末が第１のメッセージ（制御チャネルメッセージ）に応答するよう構成され得る、無線通信システムの作動方法を含む。前記条件は、特定の特性を有する第２のメッセージ（制御チャネルメッセージ）も受信される（例えば、異なる搬送波のダウンリンクリソースを割り当てる、アップリンクリソースを許可する）、又は少なくとも１つの正しく復号化されたデータコードワードも受信される、のうちの１又は複数を有しても良い。
【００５６】
更なる特徴は、ＤＣＩメッセージの３個のグループを定めることを含む。第１のグループのメッセージは、通常通り処理される。一方で、第２のグループのメッセージは、第３のグループのメッセージと一緒に受信されない限り、無視され又は廃棄される。
【００５７】
以上に概説した技術は、誤警報（つまり、基地局からメッセージが送信されなかったときに、端末がそのようなメッセージを検出し応答する）の確率を有意に低減するという利点を有する。これは、多数の搬送波（つまり、現在のＣＡワークアイテムで最大３２個）が端末に対して構成され得るＬＴＥのキャリアアグリゲーション（ＣＡ）において特に問題である。端末は、各々の搬送波について、基地局（２１、２２、．．．、２ｎ）からの多数の可能な制御チャネルメッセージを盲目的に探索し、このようなメッセージがＣＲＣ（周期的冗長検査）により正しく受信されたか否かを決定すると期待され得る。多数の候補と共に、ＵＥがメッセージを誤って検出し応答する（例えば、干渉を生じる誤ったアップリンク送信を伴う）確率は、深刻であり得る。アクティブなデータ送信が存在するとき、１より多くのメッセージ（又はデ―タパケット）は、任意の所与の瞬間に所与の端末へ送信される可能性が高いと想定され得る。したがって、制御チャネルメッセージの有効性を、追加条件が満たされることに依存させることにより、他にシステム動作に影響を与えることなく、誤警報の確率は大幅に低減される。例えば、端末は、特定の特性を有する２つの（又はそれより多くの）メッセージが同時に受信される場合にのみ、応答する場合である。
【００５８】
概して、特に明確な意図がない限り、本発明の一態様に関して記載された特徴は、任意の他の態様に等しく適用され、任意の他の態様との組合せが本願明細書に明示的に言及又は記載されていない場合でも、任意の他の態様と組み合わせられても良い。
【００５９】
前述の説明から明らかなように、本発明は、無線通信システム内の基地局と端末との間の信号送信を包含する。用語「基地局機器」は、１又は複数の基地局を提供する又は少なくとも制御する機器を表し、例えば別個の基地局１乃至ｎを制御するｅＮｏｄｅＢを有する図１に示す構成を含み得る。基地局は、上記の信号を送信及び受信するのに適した任意の形式を取り得る。基地局機器は、通常、３ＧＰＰ  ＬＴＥ及び３ＧＰＰ  ＬＴＥ−Ａ規格群での実装のために提案された形式を取り、したがって異なる状況で適切な場合、ｅＮｏｄｅＢ（この用語はＨｏｍｅ  ｅＮｏｄｅＢ又はＨｅＮＢも包含する）を含み得る。しかしながら、本発明の機能的要件を前提として、幾つかの又は全ての基地局は、信号を送信し及び端末から受信するのに適した任意の他の形式を取っても良い。
【００６０】
同様に、本発明では、各端末は、信号を送信し及び基地局から受信するのに適した任意の形式を取り得る。例えば、端末は、加入者局（ＳＳ）若しくは移動局（ＭＳ）の形式、又は任意の他の適切な固定位置若しくは移動可能な形態を取っても良い。本発明を視覚化する目的で、端末をモバイル端末として仮定することは都合が良い（また、多くの例では、端末の少なくとも幾つかは、モバイル端末を有する）。しかしながら、これはいかなる限定も意味しない。
【図面の簡単な説明】
【００６１】
単に例として、添付の図面を参照する。
【図１】キャリアアグリゲーション（ＣＡ）を用いる無線通信システムを示す。
【図２】ＬＴＥにおける複数のプロトコルレイヤの各々におけるチャネルを示す。
【図３】ＬＴＥ物理チャネルがＰＣｅｌｌ及びＳＣｅｌｌにどのように割り当てられるかを示す。
【図４】本発明の実施形態で実行される処理のフローチャートである。
【図５】一実施形態で実行される処理のより具体的な例のフローチャートである。
【図６】本発明の実施形態で用いられ得る端末（ＵＥ）の機能ブロックを示す。
【図７】本発明の実施形態で用いられ得る基地局機器（ｅＮｏｄｅＢ）の機能ブロックを示す。
【発明を実施するための形態】
【００６２】
本発明は、ＵＥが多数の搬送波を有し構成され、該搬送波がアクティブにされる場合に、有意な量のデータが送信され又は受信され、１より多くの搬送波を同時に頻繁に使用する、及び複数のデータパケットに応答して有意なＡＣＫ／ＮＡＣＫビット数を送信することを期待する、という認識に基づく。上述のように、概して、クロスキャリアスケジューリングの場合でも、１つのＤＣＩは１つのＣＣのみを表す。したがって、大部分のサブフレームは、所与のＵＥ向けのＤＣＩメッセージを含まない、又は幾つかのＤＣＩメッセージを含む。
【００６３】
この仮定の下で、本発明の実施形態では、（ＰＣｅｌｌのリソースをスケジューリングするため、又はＰＤＳＣＨ上の少なくとも１つのコードワードの復号が成功するＤＬ割り当てのためのような）単一のＤＣＩメッセージの特定の所定の場合を除き、ＵＥは、特定の特性を有する、同じサブフレームの中で検出される複数のＤＣＩメッセージの特定の組合せに応答するだけである。したがって、限られた数の例外とは別に、ＵＥは、単一のＤＣＩメッセージの受信（これは、ＤＣＩメッセージの誤検出の結果である可能性が最も高い）の大部分を無視し得る。ＤＣＩメッセージの１より多くの誤検出が任意の１つのＵＥに対して同じサブフレームの中で生じる確率は、非常に低い。したがって、想定される複数搬送波のシナリオの場合の誤警報の影響は、大幅に緩和される。
【００６４】
本発明は、従来はこの目的のために検討されなかったメッセージ特性に基づき、制御チャネル上のメッセージ（より具体的にはＤＣＩメッセージだが、必ずしも排他的ではない）に対する応答の有効性の決定を提案する。
【００６５】
概して、特に断りのない限り、以下に記載する実施形態は、ＵＥが複数搬送波（ＰＣｅｌｌ及び１又は複数のＳＣｅｌｌ）を有し構成されるＬＴＥに適用可能である。特に断りのない限り、実施形態は、概してダウンリンク制御チャネル（つまり及びＰＤＣＣＨ及びＥＰＤＣＣＨの両方をカバーする）に適用し得る。また、特に断りのない限り、空間多重化はＰＤＳＣＨで使用されないと想定する。ＵＥによる本発明の使用（又は非使用）は、サービングｅＮｏｄｅＢからの高位レイヤのシグナリングにより構成され及び制御されても良い。
【実施例】
【００６６】
＜第１の実施例＞
第１の実施形態では、ＵＥは、それぞれ異なる搬送波周波数にある、ＰＣｅｌｌと、１より多くのＳＣｅｌｌの第１のセットと、により構成される。ＳＣｅｌｌの第２のセットはアクティブにされ、第２のセットは第１のセットの部分集合である。ＵＥは、自身を宛先とするＤＣＩメッセージについて、各々のアクティブなＳＣｅｌｌの及びＰＣｅｌｌの制御チャネル候補セットをモニタする。クロスキャリアスケジューリングの可能性により、制御チャネル候補は必ずしも、それぞれが関連するセルと同じセルで生じないことに留意する。本実施形態（及び幾つかの他の実施形態）では、ＵＥが、所与のサブフレームの中で又は所定の時間枠の範囲内でアクティブなＳＣｅｌｌのためのＤＬ割り当てを含む１つのＤＣＩメッセージのみを検出した場合、ＵＥは該メッセージを無視する。ＵＥが、それぞれ異なるアクティブなＳＣｅｌｌのためのＤＬ割り当てを含む合計で１より多くのＤＣＩメッセージを検出した場合、ＵＥはこれらのＤＬ割り当てを通常通り処理する。つまり、ＵＥは、対応するＰＤＳＣＨ上のコードワードを復号化し、ＰＣｅｌｌでＡＣＫ／ＮＡＣＫを送信する。所与のセルのアップリンクで送信されるＡＣＫ／ＮＡＣＫビットの集合は、「ＡＣＫ／ＮＡＣＫメッセージ」として見なすことができる。１つのアクティブなＳＣｅｌｌのみの特別な場合には、ＵＥはＤＬ割り当てを通常通り処理する。
【００６７】
留意すべきことに、ここでの主な関心は、誤警報に応答して１又は複数のＮＡＣＫを送信することである。ＬＴＥのようなシステムでは、ＤＬ割り当てが誤って検出された場合、ＵＥは、対応するＰＤＳＣＨを復号化することを試みる。しかし、実際には該ＵＥのための有効なＰＤＳＣＨが存在しないので、これは任意の有効なデータパケット（ＡＣＫをもたらす）の正しい受信に対応するように見える可能性が最も高い。したがって、このような場合には、ＮＡＣＫは殆ど不可避である。
【００６８】
第１の実施形態に従属する例では、ＡＣＫ／ＮＡＣＫは次の通り送信されても良い。
【００６９】
・ＰＣｅｌｌのＰＵＣＣＨで、又は
・ＣｅｌｌのＰＵＳＣＨで。
【００７０】
第１の実施形態の変形では、ＵＥは、ＤＬ割り当て（つまり、ＵＥのためのリソースのＤＬ割り当てを含むＤＣＩ）の数を数えるとき、ＰＣｅｌｌを含む。この場合、ＵＥがブロードキャストされたＰＤＳＣＨに関連してＡＣＫ／ＮＡＣＫを送信する必要がないので、ブロードキャストされたＰＤＳＣＨに関連する（つまり、複数のＵＥに向けられた）ＤＬ割り当ては含まれない。
【００７１】
通常、応答は、ＤＬ割り当てが受信されたサブフレームに対応するサブフレームの中で送信される（ＦＤＤの場合には同じサブフレーム、又はＴＤＤの場合には次の利用可能なサブフレーム）。第１の実施形態の更なる変形では、所与のサブフレームの中のアップリンクＡＣＫ／ＮＡＣＫメッセージは、１より多くのサブフレームの中で受信されたＰＤＳＣＨコードワードに対するＡＣＫ／ＮＡＣＫに対応しても良い。本実施形態は、特に、ＤＬサブフレームとＵＬサブフレームとの間に１対１対応が存在しなくても良いＴＤＤに関連する。
【００７２】
第１の実施形態の更なる変形では、幾つかの定められた特別な場合（例えば、ＤＬ割り当てがＰＣｅｌｌについて検出されるとき）を除いて、ＮＡＣＫのみを含むＡＣＫ／ＮＡＣＫメッセージは、廃棄され送信されなくても良い。この変形の使用は、特定のＡＣＫ／ＮＡＣＫメッセージフォーマットを使用するようＵＥを構成することにより構成され得る。例えば、最大で３２個のＣＣについてＡＣＫ／ＮＡＣＫを送信するためのＰＵＣＣＨの新しいメッセージフォーマットは、３ＧＰＰ  ＲＡＮ１で検討されている（これは、ＴＤＤと組み合わせて空間多重化するために、１２８ビット程度のサイズを有する必要があり得る）。
【００７３】
第１の実施形態の更なる変形では、ＵＥは、閾Ｎを提供される。したがって、本発明は、アクティブな搬送波の数がこの閾を超えるとき、適用される。Ｎは、仕様により決定されても良く、又は高位レイヤのシグナリングにより構成されても良い。
【００７４】
第１の実施形態の更なる変形では、ＵＥは、２つのセルグループを有し構成される（これらは、通常、重なり合わないと想定される）。本発明は、１つのセルグループに適用される。他方のセルグループでは、単一のＤＬ割り当ては無視されず、通常通り処理される。この構成の目的は、より多くの柔軟性を提供することである。例えば、第２のグループは、最大５個のＣＣを有し「レガシー」ＣＡ方法で動作でき、一方で、第１のセルグループ（これは、遙かに大きくても良い）は、合計で最大３２個のＣＣを有し、本発明に従って動作できる。
【００７５】
＜第２の実施形態＞
第２の実施形態は、ＵＥのために構成される２つのセルグループが存在する点を除き、第１の実施形態と似ている。言い換えると、ＵＥは、入来するＤＣＩメッセージ（ＤＬ割り当て）を、該ＤＣＩメッセージが関連するセルグループに従って分類できるように構成される。第１のセルグループ（これは、ＰＣｅｌｌを含む）では、セルグループのために受信されたＤＬ割り当ては、結果として、対応するＡＣＫ／ＮＡＣＫをＰＣｅｌｌで送信させる。第２のセルグループ（これは、ＳＣｅｌｌのみを含む）では、セルグループのために受信されたＤＬ割り当ては、結果として、対応するＡＣＫ／ＮＡＣＫをＳＣｅｌｌのうちの１つで送信させる（つまり、ＳＣｅｌｌのうちの１つは、上述のＳＰＣｅｌｌのような、ＵＥに対して特別な状態を有する）。
【００７６】
本実施形態では、ＡＣＫ／ＮＡＣＫを送信すべきか否かを決定する目的で、ＵＥは、各々のグループの中でＤＬ割り当てを別個に計数しても良く、或いは、ＵＥは、全部のグループに渡りＤＬ割り当ての総数を計数し得る。
【００７７】
＜第３の実施形態＞
第３の実施形態は、ＤＣＩメッセージの３個のグループが定められる点を除いて、第１の実施形態と似ている。留意すべきことに、これは、概して、セルに基づく方法とは異なるグルーピング方法である。本発明の原理を適用するか否かを決定する目的で、ＵＥは、以下に与える基準を用いて、ＤＣＩメッセージをグループに分類する。第１のグループの中のメッセージは、ＵＥにより通常通り（つまり、本発明を適用しないで）処理される。第２のグループの中のメッセージは、第３のグループの中の更なるメッセージと一緒に検出された場合のみ、処理される（その他の場合、第２のグループの中のメッセージは処理されない）。
【００７８】
第３のグループの中のメッセージの取り扱いのための異なる選択肢が可能である（しかし、必ずしも例えば規定の動作がシステム標準で設定されるような動作を指定する又は実装に任される必要はない）。第１の実施形態は、第３の実施形態の特別な場合として考えられる。
【００７９】
図４は、通常の場合の第３の実施形態のフローチャートであり、ＵＥにおいて実行されるステップを示す。ステップＳ１０で、ＵＥは、現在のサブフレームについて処理されるのを待っている１又は複数のＤＣＩメッセージを検出するまで待機する。該当すると（Ｓ１０でＹＥＳ）、Ｓ１２で、ＵＥは、このようなＤＣＩメッセージを１つ選択する。次に（Ｓ１４）、ＵＥは、ＵＥがネットワークにより構成された基準を用いて、ＤＣＩメッセージが上述のグループのうちのどれに含まれるかを決定する。メッセージが第１のグループである場合、フローはＳ１６へ進み、ＵＥは通常の方法でメッセージを処理する（必要に応じてＡＣＫ／ＮＡＣＫを送信するステップを含む）。メッセージがグループ２に含まれる場合、次にＳ１８で、ＵＥは、異なるＤＣＩメッセージが現在のサブフレームの中でグループ３で検出されたか否かを調べる。このようなメッセージが存在する場合（Ｓ１８でＹＥＳ）、フローはＳ１６へ進み、メッセージは通常の方法で処理される。存在しない場合（Ｓ１８でＮＯ）、Ｓ２２で、選択されたＤＣＩメッセージは廃棄される（つまり処理されない）。一方で、Ｓ１４で選択されたメッセージがグループ３であると判断された場合、フローはＳ２０へ進み、ＵＥは、異なるＤＣＩメッセージが同じサブフレームについてグループ２で検出されたか否かを調べる。Ｓ２０における決定の答えがＹＥＳの場合、選択されたＤＣＩメッセージは通常通り処理され（Ｓ１６）、その他の場合廃棄される（Ｓ２２）。上述の処理は、待機している各々の他の検出されたメッセージについて繰り返される。
【００８０】
第３の実施形態の特別な場合又は変形は次の通りである。
【００８１】
（ａ）第２及び第３のグループは同じである。
【００８２】
（ｂ）グループのうちの少なくとも１つ（最大で３個のグループ及びその全部を含む）は以下のうちの１又は複数に従って定められる：
・ＤＣＩがリソースをスケジューリングするセルの搬送波周波数（例えば、同じ搬送波周波数のセルのＤＣＩメッセージは一緒にグループ化される）
・ＤＣＩはアップリンク又はダウンリンクリソースをスケジューリングするか
・ＤＣＩメッセージのサイズ（ビット数の観点で）
・ＤＣＩメッセージのサイズ（占有されるリソースの観点で）（例えば、ＬＴＥにおいて集約レベル）
・ＤＬ割り当てを含むＤＣＩに応答してＡＣＫ／ＮＡＣＫが送信される搬送波（例えば、ＰＣｅｌｌ又はＳＣｅｌｌ）
（ｃ）別のグループ（定められるべき残りがあれば）は、以下のうち予め定められた１又は複数の特徴に従って定められる：
・ＤＣＩが検出される搬送波周波数
・検出されるメッセージが運ばれる制御チャネルの種類
（ｄ）第１のグループは、ＰＣｅｌｌで送信されるＤＣＩメッセージを含む
（ｅ）第２のグループはＤＬ割り当てを含むＤＣＩに対応し、第３のグループは、ＡＣＫ／ＮＡＣＫの送信のためのリソースを割り当て得るＵＬ許可を含むＤＣＩに対応する
（ｆ）所与の時間枠の範囲内（例えば、同じサブフレームの中、又は特定の最大時間的距離）で検出された場合、第２及び第３のグループの中のＤＣＩメッセージは「一緒」であると見なされる
（ｇ）「処理されない」と見なされる第２のグループの中のＤＣＩメッセージは、拒否され、無視され、又は廃棄され、或いは応答にいかなる送信も生じない方法で処理される場合がある
（ｈ）グループは、異なる種類の制御チャネル（例えば、ＰＤＣＣＨ又はＥＰＤＣＣＨ）で送信される
（ｉ）第３のグループの中の単一のＤＣＩメッセージは通常通り処理される
（ｊ）第３のグループの中の単一のＤＣＩメッセージは処理されない
上述の可能性のうちの大部分は、代替であると考えられる。しかしながら、当業者に明らかなように上述のうちの幾つかの組み合わせは実現可能である。例えば、（ｄ）は（ａ）〜（ｃ）のうちの任意のものと組合せられ得る。一方、（ｅ）は（ａ）と互いに排他的である。同様に（ｉ）及び（ｊ）の可能性は、互いに排他的であるが、（ａ）〜（ｈ）のうちの任意のものと組合せ可能である。入来する制御チャネルメッセージをどのように処理する（処理しない）かを決定する際にＵＥにより適用される基準は、ネットワーク状態の変化に適応するために、時間と共に変化し得る。
【００８３】
上述の第３の実施形態の変形のうちの１つでは、ＤＬ割り当てにおける誤警報から生じる主な問題（つまり、ＡＣＫ／ＮＡＣＫの誤った送信）は、第３のグループの中のＤＣＩ（例えば、ＡＣＫ／ＮＡＣＫとデータの両方のために使用するようＵＥのリソースを指定するＰＵＳＣＨ許可）により指定されるリソースを使用することにより第３のグループの中の複数のＤＣＩ（例えば、ＰＤＳＣＨ割り当て）に対応するＡＣＫ／ＮＡＣＫを送信することにより緩和される。ＰＤＳＣＨ割り当ては、対応するＰＵＳＣＨ許可を有しないで検出された場合、廃棄される。この変形は、好適な実施形態である。
【００８４】
図５は、第３の実施形態の一例のフローチャートである。本例では、第２のグループは、ＳＣｅｌｌのＰＤＳＣＨのＤＬ割り当てを含むＤＣＩを有し、第３のグループは、ＰＵＳＣＨのＵＬリソースの許可を含むＤＣＩを有する。グループ１は、他のＤＣＩを有する。
【００８５】
図４に関する説明と同様に、処理はＵＥにより実行され、Ｓ１００で開始する。ここで、ＵＥは、処理を待っている少なくとも１つの検出されたＤＣＩメッセージを有するまで、待機する。次にＳ１０２で、このようなメッセージの１つが選択されたＤＣＩメッセージになる。ここではＤＣＩメッセージを選択する特定の方法は想定されない。また、選択で十分である。
【００８６】
Ｓ１０４で、ＵＥは、（上述のような）３個のグループのうちのどれに、選択されたＤＣＩメッセージが属するかを決定する。グループ１の場合、Ｓ１０６で、選択されたＤＣＩメッセージは通常通り処理される。グループ２の場合、Ｓ１０８に進み、ＵＥは、ＰＵＳＣＨ許可が現在のサブフレームの中で検出されたか否かを調べる。検出された場合（Ｓ１０８でＹＥＳ）、Ｓ１０６で、選択されたＤＣＩメッセージは通常通り処理される。検出されない場合（Ｓ１０８でＮＯ）、Ｓ１１０で、選択されたＤＣＩメッセージは廃棄される。一方で、選択されたＤＣＩメッセージがグループ３に属する場合、該メッセージは更なる検討をしないで廃棄される（Ｓ１１０）。
【００８７】
第４の実施形態は、ＰＤＳＣＨの複数のコードワードの空間多重化が使用される（例えば、ＰＤＳＣＨあたり２個のコードワード）点を除き、第１の実施形態と似ている。次に、検出された制御チャネルメッセージの数を考慮するのではなく、ＡＣＫ／ＮＡＣＫメッセージの送信は、１又は複数のＰＤＳＣＨコードワードの復号化が成功したか（つまり、コードワードは有効なＣＲＣを有するか）否かに従って決定される。一例として、１つの（又は複数の）制御チャネルメッセージが、複数のＰＤＳＣＨコードワードがＵＥへ送信されたことを示すが（複数の搬送波のうちの１又は複数及び空間多重化（ＭＩＭＯ）によるものを含んでも良い）、これらのコードワードのうちのいずれも有効なＣＲＣを有しない場合、ＡＣＫ／ＮＡＣＫメッセージは送信されない（つまり、メッセージはＮＡＣＫのみを含まない）。ＰＤＳＣＨコードワードのうちのいずれかが有効なＣＲＣを有する場合、ＡＣＫ／ＮＡＣＫメッセージが送信される。これは制御チャネルにおける誤警報だけでなく、コードワードの誤検出も要求するので、期待されていないときに基地局がＡＣＫ／ＮＡＣＫメッセージを送信される確率は、大幅に低減される。このアプローチでは、基地局は、ＵＥが１又は複数のＡＣＫを有するメッセージを送信する場合と、「いかなるメッセージ」も送信されない場合と、を区別する必要がある。しかしながら、これは、ＡＣＫ／ＮＡＣＫメッセージが誤警報に起因して送信されてしまう結果よりも好ましい。
【００８８】
第４の実施形態の変形として、「全てのＮＡＣＫ」メッセージが次のように送信される特別な場合がある。
【００８９】
・制御メッセージはＰＣｅｌｌで受信される（ＳＣｅｌｌとは対照的に）
・ＰＤＳＣＨはＰＣｅｌｌでＵＥにスケジューリングされる（ＳＣｅｌｌではなく）
・ＮＡＣＫは、異なるセルでＵＥにスケジューリングされている１より多くのＰＤＳＣＨに対応する
・ネットワークは、誤警報の結果を受け入れることができ、したがって、本発明の使用は適用されない又は構成されない（例えば、少数の搬送波だけが構成され又はアクティブにされる）
・ＡＣＫ／ＮＡＣＫメッセージは、誤警報が問題にならないセルで送信される（例えば、第２の実施形態におけるセルグループのうちの特定の１つのアップリンク、ここでは他のＵＥはアクティブにされない）
したがって、「全てのＮＡＣＫメッセージ」に関する禁止は、望ましい場合には、ＳＣｅｌｌにのみ適用することに制限され得る。
【００９０】
上述の３番目の「・」に関し、第１の実施形態と比べた場合の相違点は、制御チャネルメッセージ又はＰＤＳＣＨの特定のタイミングを考慮する必要がないことである。ＡＣＫ／ＮＡＣＫが同じメッセージの中に存在する必要があるだけである。
【００９１】
図６は、本発明が提供され得るＵＥ１の一例を示すブロック図である。ＵＥ１は、上述の無線通信システムで用いられ得る任意の種類の装置を有しても良く、セルラ（又はセル）フォン（スマートフォンを含む）、モバイル通信機能を有するＰＤＡ（personal  digital  assistant）、モバイル通信コンポーネントを有するラップトップ若しくはコンピュータシステム、及び／又は無線で通信するよう動作する任意の装置を有しても良い。ＵＥ１は、（一緒に通信ユニットを定める）少なくとも１つのアンテナ８０２に接続された送信／受信ユニット８０４、記憶媒体８０８の形式のメモリへのアクセスを有する制御部８０６を有する。制御部８０６は、例えば、マイクロプロセッサ、ＤＳＰ（digital  signal  processor）、ＡＳＩＣ（application−specific  integrated  circuit）、ＦＰＧＡ（field−programmable  gate  array）、又は上述の種々の機能、特に実施形態のうちの１又は複数において定めた条件下でのみ制御チャネルメッセージに応答する構成、を実行するようプログラムされた若しくは設定された他の論理回路であっても良い。例えば、上述の種々の機能は、記憶媒体８０８に格納され制御部８０６により実行されるコンピュータプログラムの形式で実施されても良い。送信／受信ユニット８０４は、制御部８０６の制御下で、上述のようにセルから制御チャネルメッセージを受信し及びＡＣＫ／ＮＡＣＫを送信するように構成される。
【００９２】
図７は、ｅＮｏｄｅＢ１１及び上述の基地局２１、２２、．．．．、２ｎのうちの少なくとも１つとして使用するのに適するプライマリ基地局の一例を示すブロック図である。プライマリ基地局は、（一緒に通信ユニットを定める）少なくとも１つのアンテナ９０２に接続された送信／受信ユニット９０４、及び制御部９０６を有する。制御部は、例えば、上述の種々の機能を実行するようプログラミングされる又は構成されるマイクロプロセッサ、ＤＳＰ、ＡＳＩＣ、ＦＰＧＡ、又は他の論理回路であっても良い。例えば、上述の種々の機能は、記憶媒体９０８に格納され制御部９０６により実行されるコンピュータプログラムの形式で実施されても良い。送信／受信ユニット９０４は、制御部９０６の制御下で、制御チャネルメッセージの送信を担う。制御部９０６は、図１の２１のような任意の統合された基地局を管理するだけでなく、プライマリユニットにより直接制御されない任意の別個の基地局も管理する。
【００９３】
したがって、纏めると、本発明は、ＬＴＥのようなシステムで、特定の新規な条件が満たされるときにのみ、ＵＥが第１の制御チャネルメッセージに応答するよう構成されることを定め得る。条件は、同じサブフレームの中で若しくは所定の時間枠の範囲内で、特定の特性を有する第２の制御チャネルメッセージも受信される（例えば、異なる搬送波のダウンリンクリソースを割り当てる、アップリンクリソースを許可する）、又は少なくとも１つの正しく復号化されたデータコードワードも受信される、のうちの１又は複数を有する。
【００９４】
本発明の範囲内で種々の変更が可能である。
【００９５】
上述の説明で１つのＵＥが参照されたが、実際には勿論、複数のＵＥが同じｅＮｏｄｅＢによりサービスされても良い。ｅＮｏｄｅＢは、概して、上述の第１、第２及び第３のグループを各々のＵＥについて別個に構成するが、ＵＥ同士でグループは重なり合わない。１つの可能性は、１つのグループが全てのＵＥについて同じままであり、他のグループは異なることである。
【００９６】
上述の任意の実施形態及び変形は、同じシステムに結合されても良い。以上にＬＴＥ及びＬＴＥ−Ａに関して説明したが、本発明は、他の種類の無線通信システムにも適用できる。したがって、請求項中の「端末」についての言及は、あらゆる種類の加入者局、モバイル装置、ＭＴＣ装置、等を包含することを意図し、ＬＴＥのＵＥに限定されない。
【００９７】
「ＤＣＩメッセージ」という表現は、端末によるその受信に対する応答が本発明を用いて制御され得るメッセージの単なる一例である。以上では「制御チャネルメッセージ」を参照し、ＵＥによる応答の送信が本発明を用いて制御されるメッセージのうちの少なくとも幾つかは、通常理解される意味で、制御チャネルにより伝達される。しかしながら、ＵＥにより受信される他のメッセージは、従来の制御チャネル以外により伝達されても良い。
【００９８】
上述の本発明の実施形態の態様の何れにおいても、種々の特徴は、ハードウェアで、又は１若しくは複数のプロセッサで動作するソフトウェアモジュールとして実施されても良い。ある態様の特徴は、他の態様の特徴に適用されても良い。
【００９９】
本発明は、上述の任意の方法を実行するコンピュータプログラム又はコンピュータプログラムプロダクト、及び上述の任意の方法を実行するプログラムを格納しているコンピュータ可読媒体も提供する。
【０１００】
本発明を実施するコンピュータプログラムは、コンピュータ可読媒体に格納されてもよい。或いは、例えば、インターネットウェブサイトから提供されるダウンロード可能なデータ信号のような信号形式又は任意の他の形式であってもよい。
【０１０１】
理解されるべきことに、請求の範囲から逸脱することなく、上述の特定の実施形態に種々の変化及び／又は変更が行われ得る。
【産業上の利用可能性】
【０１０２】
本発明は、端末のために多数の搬送波が構成され得るＬＴＥのキャリアアグリゲーション（ＣＡ）において誤警報に起因する端末からの応答の（つまり、制御チャネルメッセージが送信されなかったときに、端末が制御チャネルメッセージを検出し応答する）確率を有意に低減する効果を有する。本発明の実施形態のうちの１つを適用することによりシステム動作に他の影響を与えることなく、例えば特定の特性を有する２つの（又はそれより多くの）メッセージが同時に（例えば同じサブフレームの中で）受信される場合にのみ端末が応答する場合、誤警報の影響は大幅に低減され得る。
【０１０３】
以上の実施形態に加えて、更に以下の付記を開示する。
（付記１）  無線通信システムで使用される端末であって、複数のチャネルで複数のメッセージを受信するよう構成され、前記複数のチャネルのうちの第１のチャネルで第１のメッセージの受信に対する応答の前記端末による送信は、少なくとも
前記複数のチャネルのうちの前記第１のチャネルが制御チャネルである、及び
前記端末が、前記第１のメッセージの中の第１の正しく復号化されたコードワードを受信する、
を条件とし、
前記端末は、前記応答の送信に追加条件が適用されるよう構成され、前記追加条件は、
前記端末が、前記複数のチャネルのうちの第２のチャネルで第２のメッセージの中の第２の正しく復号化されたコードワードを受信すること、
である、端末。
（付記２）  前記第１のメッセージは、第１の搬送波のダウンリンクリソースを前記端末に割り当てる、付記１に記載の端末。
（付記３）  前記複数のチャネルのうちの前記第２のチャネルは、制御チャネルであり、前記第２のメッセージは、前記端末にアップリンクリソースを割り当てる又は前記端末に第２の搬送波のダウンリンクリソースを割り当てる、付記１又は２に記載の端末。
（付記４）  前記端末は、
複数の搬送波による無線通信であって、前記追加条件は、前記端末に対してアクティブにされた搬送波の数が閾を超えるときにのみ適用される、複数の搬送波による無線通信、
複数のセルによる無線通信であって、前記端末は、複数のセルグループを有し構成される、複数のセルによる無線通信、
のうちの少なくとも１つを実行するよう構成される、付記１乃至３のいずれか一項に記載の端末。
（付記５）  前記追加条件は、
前記端末が、前記セルグループのうちの部分集合の中のセルから前記第１のメッセージの中の第１の正しく復号化されたコードワードを受信する、又は  前記端末が、同じ前記セルグループに関連する第１のメッセージ及び第２のメッセージを受信し、前記第２のメッセージは特定の特性を有する、
のいずれかのときにのみ適用される、付記４に記載の端末。
（付記６）  第１のセルグループは、プライマリセルを有し、第２のセルグループは、セカンダリセルのみを有し、
前記端末は、前記第１のセルグループに関連する肯定応答メッセージを前記プライマリセルへ送信し、前記第２のセルグループに関連する肯定応答メッセージを前記セカンダリセルのうちの１つへ送信するよう構成される、
付記４又は５に記載の端末。
（付記７）  前記追加条件は、前記端末が、特定のメッセージフォーマットを用いて肯定応答メッセージを送信することにより前記第１のメッセージに応答するよう構成されるときにのみ適用される、付記１乃至６のいずれか一項に記載の端末。
（付記８）  受信したメッセージを、第１、第２、及び第３のグループに分類し、前記第１のメッセージが前記第２のグループに分類されるとき、前記追加条件は、前記第２のメッセージが前記第３のグループにあることを更に要求する、よう更に構成される付記１乃至７のいずれか一項に記載の端末。
（付記９）  前記端末は、前記第１のメッセージが前記第１のグループにあるとき、前記応答の送信に前記追加条件を適用するよう構成される、付記８に記載の端末。
（付記１０）  前記端末は、
受信したメッセージがリソースをスケジューリングするセルの搬送波周波数、
前記受信したメッセージがアップリンク又はダウンリンクリソースをスケジューリングするか、
ビット数の観点で前記受信したメッセージのサイズ、
占有されるリソースの観点で前記受信したメッセージのサイズ、
前記端末の前記応答が送信されるよう構成される搬送波、
のうちの１又は複数に従って、前記受信したメッセージを前記グループのうちの少なくとも１つに分類するよう構成される、付記８又は９に記載の端末。
（付記１１）  前記グループのうちの少なくとも１つは、
受信したメッセージが検出された搬送波周波数、
受信したメッセージが検出されたチャネルの種類
のうちの１又は複数に従って定められる、付記８、９又は１０に記載の端末。
（付記１２）  前記端末は、前記第２のメッセージが前記第３のグループに分類されるとき、前記応答を送信するためのリソースが前記第２のメッセージにより指定されるときのみ、前記第１のメッセージが前記第２のグループに分類されるとき、前記第１のメッセージに対する前記応答を送信するよう更に構成される、付記８乃至１１のいずれか一項に記載の端末。
（付記１３）  無線通信システムで使用される基地局機器であって、複数のチャネルで複数のメッセージを端末へ送信するよう構成され、前記複数のチャネルのうちの第１のチャネルで第１のメッセージの受信に対する応答の前記端末による送信が、少なくとも
前記複数のチャネルのうちの前記第１のチャネルが制御チャネルである、及び
前記端末が、前記第１のメッセージの中の第１の正しく復号化されたコードワードを受信する、
を条件とするよう前記端末を構成し、
前記応答の送信に追加条件が適用されるよう前記端末を更に構成し、前記追加条件は、
前記端末が、前記複数のチャネルのうちの第２のチャネルで第２のメッセージの中の第２の正しく復号化されたコードワードを受信すること、
である、基地局機器。
（付記１４）  付記１乃至１２のいずれか一項に記載の端末と、付記１３に記載の基地局機器と、を有する無線通信システム。
（付記１５）  無線通信方法であって、端末において、１又は複数の基地局により複数のチャネルで送信された複数のメッセージを受信するステップであって、前記複数のチャネルのうちの第１のチャネルで第１のメッセージの受信に対する応答の前記端末による送信は、少なくとも
前記複数のチャネルのうちの前記第１のチャネルが制御チャネルである、及び
前記端末が、前記第１のメッセージの中の第１の正しく復号化されたコードワードを受信する、
を条件とし、
前記端末は、前記応答の送信に対する追加条件として、前記複数のチャネルのうちの第２のチャネルで第２のメッセージの中の第２の正しく復号化されたコードワードを受信することを適用する、
方法。
【符号の説明】
【０１０４】
１  ＵＥ
１１  ｅＮｏｄｅＢ
２１〜２ｎ  基地局１〜ｎ
８０２  アンテナ
８０４  ＴＸ／ＲＸユニット
８０６  制御部
８０８  記憶媒体
９０２  アンテナ
９０４  ＴＸ／ＲＸユニット
９０６  制御部
９０８  記憶媒体
【図１】
2016220194.tif 000003
【図２】
2016220194.tif 000004
【図３】
2016220194.tif 000005
【図４】
2016220194.tif 000006
【図５】
2016220194.tif 000007
【図６】
2016220194.tif 000008
【図７】
2016220194.tif 000009